(57)【特許請求の範囲】
【請求項１】
枠体に取り付け可能な枠側丁番と、
前記枠側丁番の上方に位置し、且つ扉体に取り付け可能な扉側丁番と、
前記枠側丁番および前記扉側丁番のうちのいずれか一方に設けられた軸部と、
前記枠側丁番および前記扉側丁番のうちのいずれか他方に設けられ、前記軸部が差し込まれる軸穴部と、
前記枠側丁番が前記枠体に取り付けられ、かつ前記扉側丁番が前記扉体に取り付けられた状態で、前記扉側丁番が前記枠側丁番に対して前記軸部の軸方向へ移動することを規制して前記軸部が前記軸穴部から外れることを防止する規制部材とを備え、
前記規制部材は、前記枠側丁番の下端に対して下方に位置していると共に前記枠側丁番の下端に螺合した段付きビスまたはネジに対して回動可能に取り付けられる第一取付部と、前記扉側丁番の上端に対して上方に位置していると共に前記扉側丁番の上端に螺合した段付きビスまたはネジに対して回動可能に取り付けられる第二取付部と、前記第一取付部および前記第二取付部を連結する連結部とを備え、
前記連結部の長さ寸法は、前記枠側丁番の下端から前記扉側丁番の上端までの前記軸方向の長さ寸法よりも長くなっている
ことを特徴とするヒンジ装置。
【請求項２】
請求項１に記載のヒンジ装置において、
前記規制部材は、前記第一取付部、前記第二取付部および前記連結部を有してコ字状に形成された金属製板材で構成されており、
前記第一取付部には、前記枠側丁番への係止によって前記枠側丁番に対する前記規制部材の回動を規制する係止爪が形成され、
前記扉側丁番は、前記第二取付部に対して回動自在に取り付けられる
ことを特徴とするヒンジ装置。
【請求項３】
請求項１または請求項２に記載のヒンジ装置において、
前記規制部材は、前記枠側丁番に固定される固定部を備える
ことを特徴とするヒンジ装置。
【請求項４】
請求項１に記載のヒンジ装置において、
前記連結部は、可撓性を有するワイヤーによって構成され、
前記第一取付部は、前記ワイヤーの一端に取り付けられた端子によって構成され、
前記第二取付部は、前記ワイヤーの他端に取り付けられた端子によって構成される
ことを特徴とするヒンジ装置。
【請求項５】
枠体と、扉体と、前記扉体を前記枠体に開閉可能に支持させる複数のヒンジ装置とを備え、
前記複数のヒンジ装置のうちの少なくとも一つは、請求項１から請求項４のいずれか一項に記載のヒンジ装置によって構成される
ことを特徴とする建具。
【発明の詳細な説明】
【技術分野】
【０００１】
本発明は、扉体を開閉可能に支持するヒンジ装置および建具に関する。
【背景技術】
【０００２】
従来、建具として、雌型蝶番片に雄型蝶番片の差込みシャフトを差し込んで形成した複数の蝶番（差込み式蝶番）により扉体が躯体に取り付けられた扉装置が知られている（例えば、特許文献１参照）。
特許文献１に記載の扉装置では、雄型蝶番片が枠体に取り付けられ、雌型蝶番片が扉体に取り付けられ、雄型蝶番片が雌型蝶番片の下方に位置するように蝶番を設けることで、扉体の鉛直荷重を支持可能となっている。また、複数の蝶番のうちの少なくとも一つの蝶番を、その雄型蝶番片が雌型蝶番片の上方に位置するように上下方向の向きを逆向きに設けることで、扉体の持ち上がりを規制している。
【先行技術文献】
【特許文献】
【０００３】
【特許文献１】特開２００７−２２４５７６号公報
【発明の概要】
【発明が解決しようとする課題】
【０００４】
ところで、特許文献１に記載の扉装置では、上下方向の向きを逆向きにした蝶番の雌型蝶番片が雄型蝶番片から下方へ離間可能であるため、この蝶番によって扉体の鉛直荷重を支持することはできない。このため、扉体の鉛直荷重は、前述した逆向きの蝶番を除く他の蝶番に分散して支持されることとなり、鉛直荷重を支持可能な蝶番の支持負担が増大する。
【０００５】
本発明の目的は、扉体の鉛直荷重を支持可能であるとともに扉体の持ち上がりを防止でき、簡単に施工できるヒンジ装置および建具を提供することにある。
【課題を解決するための手段】
【０００６】
本発明のヒンジ装置は、枠体に取り付け可能な枠側丁番と、前記枠側丁番の上方に位置し、且つ扉体に取り付け可能な扉側丁番と、前記枠側丁番および前記扉側丁番のうちのいずれか一方に設けられた軸部と、前記枠側丁番および前記扉側丁番のうちのいずれか他方に設けられ、前記軸部が差し込まれる軸穴部と、前記枠側丁番が前記枠体に取り付けられ、かつ前記扉側丁番が前記扉体に取り付けられた状態で、前記扉側丁番が前記枠側丁番に対して前記軸部の軸方向へ移動することを規制して前記軸部が前記軸穴部から外れることを防止する規制部材とを備え、前記規制部材は、前記枠側丁番の下端に対して下方に位置していると共に前記枠側丁番の下端に螺合した段付きビスまたはネジに対して回動可能に取り付けられる第一取付部と、前記扉側丁番の上端に対して上方に位置していると共に前記扉側丁番の上端に螺合した段付きビスまたはネジに対して回動可能に取り付けられる第二取付部と、前記第一取付部および前記第二取付部を連結する連結部とを備え、前記連結部の長さ寸法は、前記枠側丁番の下端から前記扉側丁番の上端までの前記軸方向の長さ寸法よりも長くなっていることを特徴とする。
【０００７】
本発明のヒンジ装置によれば、扉側丁番に加わる扉体の鉛直荷重は、この扉側丁番の下方に位置する枠側丁番によって支持でき、例えば複数のヒンジ装置が取り付けられる場合、当該複数のヒンジ装置によって扉体の鉛直荷重を分散して支持でき、一つあたりのヒンジ装置の鉛直荷重の支持負担を軽減できる。
また、規制部材によって扉側丁番の枠側丁番に対する軸方向の所定以上の離間を規制することで、扉体を持ち上げる方向の力が生じても、軸部が軸穴部から外れることを防止でき、扉体が持ち上がって枠体から外れることをなくすことができる。
【０００８】
また、本発明のヒンジ装置によれば、前記連結部の長さ寸法が、前記枠側丁番の下端から前記扉側丁番の上端までの前記軸方向の長さ寸法よりも長いので、第二取付部と扉側丁番との間に軸方向の遊び（隙間）を形成できる。これにより、枠側丁番と扉側丁番との間にスペーサを配置可能となり、このスペーサの配置によって扉体の枠体に対する高さ位置を簡単に調整できる。
【０００９】
本発明のヒンジ装置では、前記規制部材は、前記第一取付部、前記第二取付部および前記連結部を有してコ字状に形成された金属製板材で構成されており、前記第一取付部には、前記枠側丁番への係止によって前記枠側丁番に対する前記規制部材の回動を規制する係止爪が形成され、前記扉側丁番は、前記第二取付部に対して回動自在に取り付けられることが好ましい。
このような構成によれば、係止爪の枠側丁番への係止によって、扉体の開閉に伴って規制部材が枠側丁番に対して回動することを防止できる。
【００１０】
本発明のヒンジ装置では、前記規制部材は、前記枠側丁番に固定される固定部を備えることが好ましい。
このような構成によれば、固定部が枠側丁番に固定されることで、扉体の開閉に伴って規制部材が枠側丁番に対して回動することを防止したり、回動範囲を極めて狭くすることができる。
【００１１】
本発明のヒンジ装置では、前記連結部は、可撓性を有するワイヤーによって構成され、前記第一取付部は、前記ワイヤーの一端に取り付けられた端子によって構成され、前記第二取付部は、前記ワイヤーの他端に取り付けられた端子によって構成されることが好ましい。
このような構成によれば、ワイヤーの長さ寸法を適宜設定するだけで、様々な軸方向の長さ寸法を有した枠側丁番および扉側丁番に取り付け可能であり、規制部材の汎用性を向上できる。
【００１２】
本発明の建具は、枠体と、扉体と、前記扉体を前記枠体に開閉可能に支持させる複数のヒンジ装置とを備え、前記複数のヒンジ装置のうちの少なくとも一つは、前述した本発明のヒンジ装置によって構成されることが好ましい。
本発明の建具によれば、前述した本発明のヒンジ装置と同様の作用効果を発揮可能な建具とすることができる。
【発明の効果】
【００１３】
本発明によれば、扉体の鉛直荷重を支持可能であるとともに扉体の持ち上がりを防止でき、簡単に施工できるヒンジ装置および建具を提供できる。
【図面の簡単な説明】
【００１４】
【図１】本発明の第１実施形態に係るドアの室外側を示す正面図。
【図２】第１実施形態に係るドアを示す縦断面図。
【図３】第１実施形態に係るドアを示す横断面図。
【図４】第１実施形態に係るドアのヒンジ装置を示す斜視図。
【図５】第１実施形態に係るドアの規制部材を示す説明図。
【図６】第１実施形態に係るドアへのヒンジ装置の施工を示す斜視図。
【図７】本発明の第２実施形態に係るドアのヒンジ装置を示す斜視図。
【図８】第２実施形態に係るドアの規制部材を示す説明図。
【図９】第２実施形態に係るドアへのヒンジ装置の施工を示す斜視図。
【図１０】本発明の変形例に係るヒンジ装置を示す斜視図。
【発明を実施するための形態】
【００１５】
［第１実施形態の構成］
以下、本発明の第１実施形態を図面に基づいて説明する。
図１〜６において、第１実施形態に係る建具である玄関ドア１は、建物に設けられて室内空間（屋内空間）と室外空間（屋外空間）とを仕切る外開き形式の出入り口であって、建物躯体に固定される枠体としてのドア枠２と、このドア枠２に開閉自在に支持される扉体３とを備えて構成されている。
なお、以下説明において見込み方向とは、後述する縦枠２３の見込み面部２３１（室内外方向に向かう面）に沿う方向を意味する。
【００１６】
ドア枠２は、それぞれアルミ押出形材製の上枠２１、下枠２２および左右の縦枠２３を四周枠組みして形成されている。扉体３は、図１の右側に位置する吊元側において複数のヒンジ装置４を介してドア枠２に開閉可能に支持されている。
【００１７】
ヒンジ装置４は、図４に示すように、ドア枠２と扉体３とを連結可能な金属製の旗丁番５と、旗丁番５に取り付けられる規制部材７とを備えて構成されている。
旗丁番５は、ドア枠２に取り付け可能な枠側丁番５０と、枠側丁番５０の上方に位置し、且つ扉体３に取り付け可能な扉側丁番６０と、枠側丁番５０に設けられた軸部である差込みシャフト５３とによって構成されている。本実施形態では、枠側丁番５０は雄型丁番として構成され、扉側丁番６０は雌型丁番として構成されている。
【００１８】
枠側丁番５０は、羽根板５１と、羽根板５１の見込み方向の一方側端部に連続した円柱部５２とを有して構成され、円柱部５２の上端には、差込みシャフト５３が上方に延出して形成されている。羽根板５１には、四つのビスホール５１３が形成されており、このビスホール５１３にビス５５が挿通されて吊元側の縦枠２３の見込み面部２３１にビス止めされる（図６参照）。円柱部５２の下端には、後述する段付きビス７２２に螺合する螺合穴５２１が形成されている。
【００１９】
扉側丁番６０は、羽根板６１と、羽根板６１の見込み方向の一方側端部に連続した円筒部６２と、円筒部６２の下端で開口した軸穴部６３とを有して構成されている。羽根板６１には、四つのビスホール６１３が形成されており、このビスホール６１３にビス５５が挿通されて扉体３の吊元側の見込み面部にビス止めされる。円筒部６２の径は、円柱部５２の径と同じである。円筒部６２の下端には、軸穴部６３が形成されている。円筒部６２の上端には、後述する段付きビス７２２に螺合する図６に示す螺合穴６２１が形成されている。
【００２０】
枠側丁番５０の差込みシャフト５３は、扉側丁番６０の軸穴部６３に差込み可能であり、差込み状態において旗丁番５が形成され、扉側丁番６０は枠側丁番５０に対して差込みシャフト５３を中心として回動可能な状態となる。
【００２１】
規制部材７は、金属製板材をプレス曲げ加工して形成されており、図５に示すように、差込みシャフト５３の軸方向（上下方向）に延びた連結部７１と、軸方向に直交する水平方向に延出した一対の取付部７２，７３とを有して構成されている。取付部７２は、連結部７１の上端から折り曲げられて連続しており、取付部７３は、連結部７１の下端から折り曲げられて連続している。連結部７１の長さ寸法によって、差込みシャフト５３の軸方向における取付部７２と取付部７３との離間寸法が設定される。
【００２２】
取付部７２には、段付きビス７２２が挿通可能な取付孔７２１が形成されている。取付部７２は、取付孔７２１に挿通された段付きビス７２２が扉側丁番６０の螺合穴６２１に螺合することによって扉側丁番６０の上端に回動自在に取り付けられる。
取付部７３には、段付きビス７２２が挿通可能な取付孔７３１と、枠側丁番５０に係止可能な係止爪７３２とが形成されている。取付部７３は、取付孔７３１に挿通された段付きビス７２２が枠側丁番５０の螺合穴５２１に螺合することによって枠側丁番５０の下端に回動自在に取り付けられる。
係止爪７３２は、連結部７１から水平方向に離間した取付部７３の位置から取付部７２に向かって上方に延出して形成されている。
【００２３】
枠側丁番５０が吊元側の縦枠２３に取り付けられ、かつ扉側丁番６０が扉体３に取り付けられた状態では、連結部７１と係止爪７３２との間に、羽根板５１が位置する。このため、規制部材７が枠側丁番５０に対して扉体３の開閉方向に回動されようとしても、係止爪７３２が羽根板５１に係止されて当該規制部材７の前述した回動が規制される。
【００２４】
連結部７１の長さ寸法Ｌ１（図５の（Ａ）参照）は、枠側丁番５０と扉側丁番６０とが組み合わされた旗丁番５の下端から上端までの軸方向の長さ寸法Ｌ２（図４参照）よりも長い。このため、規制部材７を旗丁番５に取り付けた状態では、取付部７２と扉側丁番６０との間に軸方向の遊び（隙間）が形成される。
連結部７１の取付部７２，７３側の面から取付孔７２１，７３１の中心位置までの取付部７２，７３の水平方向の延出長さ寸法Ｌ３は、円柱部５２、円筒部６２の半径長さ寸法Ｌ４（図４参照）よりも長く、取付部７２，７３に対する取付位置から羽根板５１，６１の他方の横方向端部までの旗丁番５の横方向の長さ寸法Ｌ５（図４参照）よりも短い。
延出長さ寸法Ｌ３と半径長さ寸法Ｌ４との差は、連結部７１が円柱部５２、円筒部６２に干渉しない範囲内で小さく設定される。このため、連結部７１は円柱部５２、円筒部６２の近傍に位置する。このように連結部７１が円柱部５２、円筒部６２の近傍に位置した場合には、連結部７１が円柱部５２、円筒部６２から大きく離れて位置した場合と比べ、扉側丁番６０の枠側丁番５０に対する軸方向への移動に基づいて加えられる曲げ応力が小さくなる。従って、規制部材７による扉側丁番６０の枠側丁番５０に対する軸方向の離間を強固に規制できる。
【００２５】
このような規制部材７は、図５の（Ａ）に示すように略コ字状に形成され、枠側丁番５０と扉側丁番６０とに連結し、両丁番相互の軸方向の離間を所定範囲内に規制する。
また、規制部材７の連結部７１は、枠側丁番５０と扉側丁番６０とが差込みシャフト５３を中心として相対回動可能な全回動領域のうち、旗丁番５が吊元側の縦枠２３および扉体３に取り付けられた際に枠側丁番５０と扉側丁番６０とが相対回動可能な最大回動領域（扉体３が全閉位置から全開位置に位置するまでの回動領域）を除いた残余領域に配置される。規制部材７は、前述したように配置されることで旗丁番５の回動動作を阻害することがない。
【００２６】
このように構成されたヒンジ装置４は、扉体３を吊元側の縦枠２３に開閉移動可能に支持させるとともに、扉体３の鉛直荷重を支持する。また、扉体３に持ち上げられる力が加わっても、規制部材７によって扉側丁番６０の枠側丁番５０からの上方への離間を規制することで当該扉体３の持ち上がりを防止する。
【００２７】
［ドアの施工手順］
以下、本実施形態に係るドア１の施工手順について説明する。
先ず、扉体３を吊元側の縦枠２３に開閉可能に取り付ける。具体的には、各枠側丁番５０の羽根板５１を吊元側の縦枠２３の見込み面部２３１にビス止めする。他方、各扉側丁番６０の羽根板６１を扉体３の吊元側の見込み面部にビス止めする。
ここで、複数のヒンジ装置４の各枠側丁番５０同士は、差込みシャフト５３が上方に位置するように同じ向きにセットされ、各扉側丁番６０同士は、軸穴部６３が下方に位置するように同じ向きにセットされる。
【００２８】
次に、扉体３を持ち上げて軸穴部６３を差込みシャフト５３の上方に位置させ、続いて扉体３を降ろしつつ軸穴部６３に差込みシャフト５３を差し込む。
このようにして、扉体３は吊元側の縦枠２３に複数のヒンジ装置４を介して開閉可能に支持される。また、吊元側の縦枠２３に取り付けられた各枠側丁番５０は扉体３から扉側丁番６０に加わる鉛直荷重を支持する。
【００２９】
次に、規制部材７を複数の旗丁番５のうちのいずれか一つに取り付ける。具体的には、上から２番目の旗丁番５に対して、規制部材７の取付部７３を段付きビス７２２によって枠側丁番５０の円柱部５２の下端に取り付け、また、規制部材７の取付部７２を段付きビス７２２によって扉側丁番６０の円筒部６２の上端に取り付ける。取付部７３を枠側丁番５０へ取り付ける際、扉体３のドア枠２に対する回動領域外に配置し、羽根板５１の扉体３側の面に当接可能な位置に配置される。このように配置されることで、規制部材７が枠側丁番５０に対して扉体３の閉鎖方向に回動しようとしても、係止爪７３２が羽根板５１に係止されて当該回動が規制される。
このようにして、規制部材７を旗丁番５に取り付け、枠側丁番５０と扉側丁番６０との相互の軸方向位置を拘束する。
なお、扉体３のドア枠２に対する高さ位置は、枠側丁番５０の差込みシャフト５３にリング状のスペーサ（図示省略）を装着することで、このスペーサを枠側丁番５０の円柱部５２と扉側丁番６０の円筒部６２との間に介在させることによって、適宜調整可能である。
【００３０】
［第１実施形態の効果］
（１）扉側丁番６０に加わる扉体３の鉛直荷重は、扉側丁番６０の下方に位置する枠側丁番５０によって支持でき、複数のヒンジ装置４によって扉体３の鉛直荷重を分散して支持することで、一つあたりのヒンジ装置４の鉛直荷重の支持負担を軽減できる。
また、規制部材７によって扉側丁番６０の枠側丁番５０に対する軸方向の離間を規制することで、扉体３を持ち上げる方向の力が生じても、扉側丁番６０が差込みシャフト５３から抜き出されることを防止できる。このため、扉体３が持ち上がってドア枠２から外れることを防止できる。
さらに、旗丁番５とは別体の規制部材７によって扉体３の持ち上がりを防止できるため、例えば、複数のヒンジ装置４のすべての枠側丁番５０および扉側丁番６０をドア枠２および扉体３に取り付けた状態で、扉体３をドア枠２に組み込むことができ、規制部材７のみを扉体３をドア枠２に組み込んだ後に取り付けることができる。このため、扉体３の持ち上がりを防止するために一部のヒンジ装置４を上下逆向きに設置する必要がなく、この逆向きのヒンジ装置４を施工現場において取り付ける必要もないため、施工を簡単に行える。
さらに、連結部７１によって取付部７２と取付部７３との離間が規制されるため、扉側丁番６０が枠側丁番５０から軸方向に所定以上に離間移動しようとしても、当該扉側丁番６０が取付部７２に当接して離間移動できなくなる。
また、取付部７２が扉側丁番６０に回動自在に取り付けられるため、規制部材７によって枠側丁番５０に対する扉側丁番６０の回動が阻害されることがない。
【００３１】
（２）取付部７２と取付部７３との離間長さ寸法Ｌ１を旗丁番５の上下方向（軸方向）の長さ寸法Ｌ２よりも長くしたことで、ヒンジ装置４を吊元側の縦枠２３および扉体３に取り付けた場合に、取付部７２と扉側丁番６０との間に軸方向の遊び（隙間）を形成できる。これにより、枠側丁番５０と扉側丁番６０との間にスペーサを配置可能となり、このスペーサの配置によって扉体３のドア枠２に対する高さ位置を簡単に調整できる。
なお、取付部７２と扉側丁番６０との間や、取付部７３と枠側丁番５０との間にスペーサを配置することによって、扉側丁番６０の枠側丁番５０に対する軸方向の離間移動可能な領域幅を狭めることもできる。
（３）係止爪７３２の枠側丁番５０への係止によって、ヒンジ装置４が取り付けられた扉体３のドア枠２に対する開閉移動に伴って規制部材７が枠側丁番５０に対して回動することを防止したり、回動範囲を極めて狭くすることができる。
【００３２】
［第２実施形態の構成］
以下、本発明の第２実施形態を図面に基づいて説明する。
図７〜９において、第２実施形態に係る建具である玄関ドア１は、前述した第１実施形態に係るドア１と同様に構成されているが、ヒンジ装置４に代えて、ヒンジ装置４Ａを備えている点で相違する。なお、第１実施形態に係るドア１と共通する構成については、図面に同符号を適宜付して詳細な説明を省略する。
【００３３】
ヒンジ装置４Ａは、図７に示すように、旗丁番５に取り付けられる規制部材７Ａを備えている。規制部材７Ａは、図８に示すように、連結部７１と、取付部７２，７３と、連結部７１に連続して形成された板状の固定部７４とを備えて構成されている。取付部７２，７３の延出長さ寸法Ｌ３（図７、図８の（Ａ）参照）は、旗丁番５の見込み方向の長さ寸法Ｌ５（図７参照）よりも長い。
【００３４】
固定部７４は、連結部７１の上下方向中央より下方から取付部７２，７３間まで見込み方向に延出して形成されている。固定部７４には、ビスホール７４１が形成されており、このビスホール７４１にビス５５が挿通されて枠側丁番５０の羽根板５１とともに吊元側の縦枠２３の見込み面部２３１にビス止めされる。このように固定部７４が吊元側の縦枠２３の見込み面部２３１にビス止めされた際には、固定部７４は、羽根板５１と共締めされるため、枠側丁番５０に固定された状態となる。
【００３５】
このように構成されたヒンジ装置４Ａの旗丁番５への取付手順は、前述したヒンジ装置４の取付手順と概略同様であるが、固定部７４を、羽根板５１を挟んで吊元側の縦枠２３の見込み面部２３１にビス止めする手順が追加される。
ヒンジ装置４Ａを吊元側の縦枠２３および扉体３に取り付けた場合には、規制部材７Ａは、枠側丁番５０の周囲であって吊元側の縦枠２３の見込み面部２３１に沿って位置する。なお、規制部材７Ａの連結部７１の上下方向中央より上部と取付部７２，７３とによって扉側丁番６０を収容可能な領域が形成されている。
【００３６】
［第２実施形態の効果］
（１）本実施形態に係るドア１によれば、第１実施形態のドア１と同様に、扉体３の鉛直荷重をヒンジ装置４Ａによって支持可能に設置できるとともに、規制部材７Ａを枠側丁番５０、扉側丁番６０の回動動作を阻害しない位置（扉側丁番６０の枠側丁番５０に対する回動領域外）に固定でき、そして、規制部材７Ａによって扉体３の持ち上がりを防止できる。また、取付部７２と扉側丁番６０との間に軸方向の隙間を形成することで、枠側丁番５０に対する扉側丁番６０の高さ位置を調整できる。
（２）固定部７４を羽根板５１に固定することで、ヒンジ装置４Ａが取り付けられた扉体３のドア枠２に対する開閉移動に伴って規制部材７Ａが枠側丁番５０に対して扉閉鎖方向に回動することを防止できる。
また、取付部７２，７３の延出長さ寸法Ｌ３が、旗丁番５の横方向の長さ寸法Ｌ５よりも長いため、固定部７４が枠側丁番５０に固定された際に、ヒンジ装置４Ａが吊元側の縦枠２３および扉体３に取り付けられると、規制部材７Ａは、枠側丁番５０とともに吊元側の縦枠２３の見込み面部２３１に沿って配置される。従って、扉体３が閉鎖位置にある場合には、規制部材７は吊元側の縦枠２３と扉体３との間に介在され、外観上目立ち難い。
【００３７】
［変形例］
なお、本発明は以上の実施形態で説明した構成のものに限定されず、本発明の目的を達成できる範囲での変形例は、本発明に含まれる。
例えば、前記実施形態では、複数のヒンジ装置４，４Ａのうちのいずれか一つが規制部材７，７Ａを備えて構成されているが、これに限定されず、複数のヒンジ装置４，４Ａの全てに規制部材７，７Ａを備えてもよく、また、複数のヒンジ装置４，４Ａのうちのいくつかに規制部材７，７Ａを備えてもよい。
【００３８】
前記実施形態では、枠側丁番５０が雄型丁番とされ、かつ扉側丁番６０が雌型丁番として構成されているが、これに限定されず、例えば、枠側丁番５０が軸穴部６３を有した雌型丁番として構成され、扉側丁番６０が、差込みシャフト５３が形成された雄型丁番として構成されていてもよい。
【００３９】
前記実施形態では、係止爪７３２は、取付部７３に形成されているが、これに限定されず、例えば取付部７３ではなく取付部７２に形成され、規制部材７の扉側丁番６０に対する扉体３の開閉方向の回動を規制可能に構成されてもよい。
また、係止爪７３２の構成を省いて規制部材７を構成してもよい。この場合、取付部７２，７３のうちのいずれか一方は、固定ネジ等によって旗丁番５に固定されてもよい。
【００４０】
前記実施形態では、段付きビス７２２によって取付部７２，７３を旗丁番５に連結しているが、これに限定されず、例えば、各取付孔７２１，７３１にブッシュを挿通し、このブッシュにネジを挿通させて各螺合穴５２１，６２１に螺合させることによって取付部７２，７３を旗丁番５に連結してもよい。
【００４１】
前記第２実施形態では、規制部材７Ａは、固定部７４の構成に加えて、係止爪７３２が取付部７３に設けられていてもよい。これにより、例えば、仮に固定部７４の枠側丁番５０への固定が緩んでも、係止爪７３２が羽根板５１に係止されるため、規制部材７Ａの枠側丁番５０に対する回動を規制できる。
【００４２】
前記第２実施形態では、規制部材７Ａは、枠側丁番５０に固定されるが、これに限定されず、例えば枠側丁番５０ではなく扉側丁番６０に固定されてもよい。この場合、固定部７４は、連結部７１の上下方向中央より上部から取付部７２，７３間に見込み方向に延出して形成され、ヒンジ装置４Ａを扉体３に取り付けた状態では、規制部材７Ａは扉側丁番６０とともに扉体３の吊元側の見込み面部に沿って位置する。
【００４３】
前記第２実施形態では、規制部材７Ａは、取付部７３と固定部７４とによって枠側丁番５０に取り付け、固定されているが、これに限定されず、例えば、取付部７３の構成を省略してもよい。
また、連結部７１は、上下方向に直線状に延びて形成されているが、これに限定されず、例えば、扉側丁番６０に隣接する部分が扉側丁番６０の円筒部６２の近傍に沿って位置するように折り曲げられていてもよい。
【００４４】
前記実施形態では、規制部材７，７Ａは、係止爪７３２、固定部７４を除く連結部７１および取付部７２，７３によってコ字状の剛体として形成されているが（図５の（Ａ）、図８の（Ａ）参照）、これに限定されず、例えば図１０に示すように、端子付きワイヤー金具８（規制部材）によって形成されていてもよい。図１０には、旗丁番５と、端子付きワイヤー金具８を備えたヒンジ装置４Ｂを示す。
端子付きワイヤー金具８は、可撓性を有する連結部である金属ワイヤー８１と、金属ワイヤー８１の両端に取り付けられた第一取付部、第二取付部である取付端子８２，８３とを備えて構成されている。金属ワイヤー８１の長さ寸法は、旗丁番５の軸方向の長さ寸法
Ｌ２よりも長い。取付端子８２は、取付孔７２１を有し、この取付孔７２１に段付きビス７２２が挿通されて扉側丁番６０の上端に回動可能に取り付けられる。また、取付端子８３は、取付孔７３１を有し、この取付孔７３１に段付きビス７２２が挿通されて枠側丁番５０の下端に回動可能に取り付けられる。
このような端子付きワイヤー金具８によれば、金属ワイヤー８１の長さ寸法を適宜設定するだけで、様々な軸方向の長さ寸法を有した旗丁番５に取り付け可能であり、規制部材の汎用性を向上できる。また、金属ワイヤー８１を適宜曲げたり延ばしたりすることでも、様々な軸方向の長さ寸法を有した旗丁番５に取り付け可能であり、規制部材の汎用性を向上できる。
なお、取付端子８２，８３のうちのいずれか一方には、係止爪７３２が設けられていてもよい。
【符号の説明】
【００４５】
１…玄関ドア、２…ドア枠、３…扉体、４，４Ａ，４Ｂ…ヒンジ装置、５…旗丁番、７，７Ａ…規制部材、８…端子付きワイヤー金具（規制部材）、２１…上枠、２２…下枠、２３…縦枠、３１…シリンダー錠、５０…枠側丁番、５１，６１…羽根板、５２…円柱部、５３…差込みシャフト、５５…ビス、６０…扉側丁番、６１…羽根板、６２…円筒部、６３…軸穴部、７１…連結部、７２，７３…取付部、７４…固定部、８１…金属ワイヤー（連結部）、８２，８３…取付端子（取付部）、２３１…見込み面部、５１３，６１３，７４１…ビスホール、５２１，６２１…螺合穴、７２１，７３１…取付孔、７２２…段付きビス、７３２…係止爪。
【図１】
0006393108.tif 000002
【図２】
0006393108.tif 000003
【図３】
0006393108.tif 000004
【図４】
0006393108.tif 000005
【図５】
0006393108.tif 000006
【図６】
0006393108.tif 000007
【図７】
0006393108.tif 000008
【図８】
0006393108.tif 000009
【図９】
0006393108.tif 000010
【図１０】
0006393108.tif 000011